【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
燃料が供給されて、負荷を駆動するための電力を供給する燃料電池を備えた燃料電池装置において、
前記燃料電池から発生する水を回収する回収手段と、
該回収手段した水と前記燃料を混合して前記燃料電池に供給する供給手段を備えたことを特徴とする燃料電池装置。
【請求項２】
請求項１記載の燃料電池装置において、
前記回収手段は前記燃料電池から発生する水を保持する水格納手段を備えたことを特徴とする燃料電池装置。
【請求項３】
請求項１記載の燃料電池装置において、
前記回収手段は燃料電池から発生する水の量を検出する水量検出手段を備えたことを特徴とする燃料電池装置。
【請求項４】
請求項３記載の燃料電池装置において、
前記供給手段は、前記水量検出手段の検出結果に基づいて水の供給量を制御することを特徴とする燃料電池装置。
【請求項５】
負荷を駆動するための電力を供給する燃料電池と、
燃料を保有する燃料室と、
水を保有する水格納室と、
前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、を設けたことを特徴とする燃料電池装置。
【請求項６】
請求項５記載の燃料電池装置において、
前記水格納室に前記燃料電池から排出される水を回収する水回収部を設けたことを特徴とする燃料電池装置。
【請求項７】
請求項６記載の燃料電池装置において、
前記燃料室は、燃料室内の燃料残量を検出する燃料検出手段と、水格納室は水格納室内の水量を検出する水量検出手段と、を有し、
前記調整器は、前記燃料検出手段と前記水量検出手段の検出結果に基づいて水と燃料の供給量を制御することを特徴とする燃料電池装置。
【請求項８】
請求項６記載の燃料電池装置において、
前記燃料電池は、燃料極に燃料濃度と燃料残量を検出する燃料極検出手段を有し、前記調整器は、前記燃料検出手段と前記水量検出手段と燃料極検出手段の検出結果に基づいて水と燃料の供給量を制御し、かつ燃料電池に供給される燃料の濃度と供給量を制御することを特徴とする燃料電池装置。
【請求項９】
請求項８記載の燃料電池用装置において、
前記燃料室と前記水格納室と前記調整器とのいずれか１つ以上に燃料濃度検出手段を設けたことを特徴とする燃料電池用装置。
【請求項１０】
請求項７記載の燃料電池装置において、
前記燃料室からの燃料の供給量を調整する燃料供給量調整手段と、前記水格納室からの水の供給量を調整する水供給量調整手段と、水と燃料を混合する混合室と前記燃料検出手段と前記水量検出手段の検出結果に基づき、水と燃料の供給量を制御する制御部と、を設けたことを特徴とする燃料電池装置。
【請求項１１】
請求項５記載の燃料電池装置において、
前記燃料室と、前記水格納室と、前記燃料電池と、は前記燃料装置に対して着脱自在であることを特徴とする燃料電池装置。
【請求項１２】
請求項５記載の燃料電池装置において、
前記燃料電池のほかに別電源を設けたことを特徴とする燃料電池装置。
【請求項１３】
請求項７記載の燃料電池装置において、
前記別電源は、前記燃料電池の駆動開始時に前記調整器の駆動用電源として使用されることを特徴とする燃料電池装置。
【請求項１４】
請求項５記載の燃料電池装置において、
接続された負荷の情報を検出する負荷検出器を設け、
前記負荷検出器による検出結果を前記調整器の制御部に入力し、前記負荷の検出結果に応じて前記調整器が前記燃料電池に供給する燃料の濃度と供給量を制御することを特徴とする燃料電池装置。
【請求項１５】
請求項６記載の燃料電池装置において、
前記水回収部に防水透湿素材を使用し、前記防水透湿素材を前記燃料電池の空気極と前
記水格納室の間であって、前記燃料電池の空気極から前記水格納室に透湿させる方向に配
置したことを特徴とする燃料電池装置。
【請求項１６】
請求項６記載の燃料電池装置において、
前記燃料電池の加熱のために熱電対素子の加熱側を用い、前記熱電対素子の冷却側を水回収に用いることを特徴とする燃料電池装置。
【請求項１７】
負荷を駆動するための電力を供給する燃料電池と、燃料を保有する燃料室と、水を保有する水格納室と、前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、前記燃料電池の温度を検出する温度検出手段を備えた燃料電池装置の制御方法において、
前記調整器は、前記温度検出手段による温度検出結果に基づいて、前記温度検出結果が所定の温度より低いときは前記燃料電池に供給する燃料の濃度を高く、前記温度検出結果が所定の温度よりも高いときは燃料の濃度を低くするように前記調整器を制御することを特徴とする燃料電池装置の制御方法。
【請求項１８】
負荷を駆動するための電力を供給する燃料電池と、燃料を保有する燃料室と、水を保有する水格納室と、前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、前記燃料電池とは別の別電源と、前記別電源の充放電を制御する充放電制御回路と、前記負荷の情報を検出する負荷検出器と、を備えた燃料電池装置の制御方法において、
前記別電源は充電可能であってかつ充電量を検出でき、前記別電源は、前記充放電制御回路を通して前記燃料電池と並列に接続され、
前記充放電制御回路は、前記負荷検出器からの検出結果を受け取り、前記負荷の電流値が一定値以上のときは燃料電池と並列な負荷へと放電し、前記負荷の電流値が一定値以下のときは燃料電池により充電されるように、切り替え制御を行うことを特徴とする燃料電池装置の制御方法。
【請求項１９】
請求項１８記載の燃料電池装置の制御方法において、
使用者による装置と負荷の停止信号入力装置を備え、前記停止信号の入力により前記燃料電池が前記負荷への電力供給を停止させる時にも、前記別電源が満充電ではない場合は前記調整器は停止せず、前記別電源の満充電の検出結果から前記調整器が停止することを特徴とする請求項１４記載の燃料電池装置の制御方法。
【手続補正２】
【補正対象書類名】明細書
【補正対象項目名】０００６
【補正方法】変更
【補正の内容】
【０００６】
上記課題を達成するために、本発明は燃料が供給されて、負荷を駆動するための電力を供給する燃料電池を備えた燃料電池装置において、前記燃料電池から発生する水を回収する回収手段と、該回収手段した水と前記燃料を混合して前記燃料電池に供給する供給手段を備えたことを特徴とするものである。
また、上記課題を達成するために、本発明の燃料電池装置は、負荷を駆動するための電力を供給する燃料電池と、燃料を保有する燃料室と、水を保有する水格納室と、前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、を設けたことを特徴とするものである。
また、上記課題を達成するために、本発明は負荷を駆動するための電力を供給する燃料電池と、燃料を保有する燃料室と、水を保有する水格納室と、前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、前記燃料電池の温度を検出する温度検出手段を備えた燃料電池装置の制御方法において、前記調整器は、前記温度検出手段による温度検出結果に基づいて、前記温度検出結果が所定の温度より低いときは前記燃料電池に供給する燃料の濃度を高く、前記温度検出結果が所定の温度よりも高いときは燃料の濃度を低くするように前記調整器を制御することを特徴とするものである。
また、上記課題を達成するために、本発明は負荷を駆動するための電力を供給する燃料電池と、燃料を保有する燃料室と、水を保有する水格納室と、前記燃料室と前記水格納室と前記燃料電池とに接続され、前記燃料室から供給される燃料の供給量と前記水格納室から供給される水の供給量を制御し、かつ前記水と混合した燃料を燃料電池に供給する調整器と、前記燃料電池とは別の別電源と、前記別電源の充放電を制御する充放電制御回路と、前記負荷の情報を検出する負荷検出器と、を備えた燃料電池装置の制御方法において、前記別電源は充電可能であってかつ充電量を検出でき、前記別電源は、前記充放電制御回路を通して前記燃料電池と並列に接続され、前記充放電制御回路は、前記負荷検出器からの検出結果を受け取り、前記負荷の電流値が一定値以上のときは燃料電池と並列な負荷へと放電し、前記負荷の電流値が一定値以下のときは燃料電池により充電されるように、切り替え制御を行うことを特徴とするものである。